(57)【要約】【課題】化粧品を充填する中皿４の取り外しを容易に行えるとともに、その装着も容易であり、更に、装着された中皿を確実に収納凹部３内に固定することができ、その構造も簡易なコンパクト容器を提案する。【解決手段】上記収納凹部３を形成する周壁の一部を、内外方向の弾性揺動が可能な係合片32として画成し、その内面と中皿４外面とを凹凸係合手段34を介して係合させた。また、収納凹部３を形成する底壁の一部を上下の揺動が可能な押上げレバー36として構成し、該押上げレバーの押し込みにより係合片を外方へ弾性変形して係合を解除した後に中皿を押し上げる如く構成した。また、押上げレバーの外方への突出を防止する突出防止手段を設けた。              【選択図】図１
2005131182.tif 000002
【特許請求の範囲】
【請求項１】
皿状の容器本体２に設けた収納凹部３内に中皿４を嵌合させてなるコンパクト容器であって、上記収納凹部３を形成する周壁の一部を、上縁を連結して垂下する内外方向の弾性揺動が可能な係合片32として画成し、その内面と上記中皿４外面とを凹凸係合手段34を介して係合させ、上記収納凹部３を形成する底壁の一部を上下の揺動が可能に画成するとともに、上記容器本体２の底壁７に開口した窓孔９に押し上げ可能に臨ませ、且つ、その自由端36a を上記係合片32下端部にその外方への押圧が可能に連繋させた押上げレバー36を設け、上記押上げレバー36の押し込みにより係合片32を外方へ弾性変形して係合を解除した後に中皿４を押し上げる如く構成したことを特徴とするコンパクト容器。
【請求項２】
上記収納凹部３が上記容器本体２の凹部５内に嵌合した中枠６により形成され、上記係合片32が、上記中枠６の周壁15の一部に形成され、上記押上げレバー36が、上記中枠６の底壁18に形成されてなる請求項１記載のコンパクト容器。
【請求項３】
上記収納凹部３が上記容器本体２の凹部５内に嵌合した中枠６により形成され、上記係合片32が、上記中枠６の周壁15の一部に形成され、上記押上げレバー36が、上記容器本体２の底壁７に超音波溶着により固定した基部40に上記弾性ヒンジｄを介して形成された別体の押上げレバー36である請求項１記載のコンパクト容器。
【請求項４】
上記押上げレバー36の外方への突出を防止する突出防止手段を設けてなる請求項１乃至請求項３のいずれかに記載のコンパクト容器。
【請求項５】
上記突出防止手段が、上記押上げレバー36の自由端36a を容器本体２の底壁７上に当接載置させることにより構成してなる請求項４記載のコンパクト容器。
【発明の詳細な説明】
【技術分野】
【０００１】
本発明はコンパクト容器に関し、詳しくは、化粧品を充填した中皿の容易な着脱が可能なコンパクト容器に関する。
【背景技術】
【０００２】
コンパクト容器として、皿状の容器本体内に中枠を嵌着させ、この中枠に化粧品を充填した中皿を嵌着したものがごく一般に知られている。これらコンパクト容器はその経済性を考慮して収納化粧品がなくなった場合に化粧品が充填された中皿のみを交換したり、或いは収納化粧品の多様化に伴い、色，種類等の異なる化粧品を充填した中皿を使用途中で交換したりすることが行われている。いずれにしろ中皿の容易な着脱が可能であることが要望される。これらの点に鑑みて容易に中皿を交換し得るコンパクト容器が提案されている（例えば、特許文献１参照）。
【０００３】
上記容器は、内容物を収納する中皿を、保持枠体を固定した収納凹部に着脱自在に保持する容器本体と、該容器本体にヒンジを介して蝶着された蓋体とからなるコンパクト容器であって、前記容器本体の収納凹部の底部には貫通穴が形成され、前記保持枠体には該貫通穴に対応する位置に、連結部を介して枠体本体に連続する押上片が形成されており、前記連結部の上側には、前記押上片の押圧時、連結部の押圧方向への移動を許容する空間が形成されていることを特徴としている。
【特許文献１】特開平０９−２０１２２４号公報
【発明の開示】
【発明が解決しようとする課題】
【０００４】
中皿は取り外しを考慮して単に保持枠体に嵌合すればガタツキが生じたり使用中に外れる虞があり、一方、極めてきつくはめ込むようにすればその取り外しがはなはだ困難となるため、上記した従来の容器は粘着剤等により中皿を保持枠体に係止固定したり、或いは中皿周壁と保持枠体周壁との間に係止凹部に係合する係止突起を形成して係止固定しており、取り外しの際にはそれらの係止手段を押上片の押上げにより強制的に解除する如く構成している。従って、強制的なそれら係止手段の解除には自ずから困難性を伴う。
【０００５】
本発明は中皿の取り外しを更に容易に行えるとともに、その装着も容易であり、更に、装着された中皿を確実に収納凹部内に固定することができ、その構造も簡易なコンパクト容器を提案するものである。
【課題を解決するための手段】
【０００６】
本請求項１発明のコンパクト容器は上記課題を解決するため、皿状の容器本体２に設けた収納凹部３内に中皿４を嵌合させてなるコンパクト容器であって、上記収納凹部３を形成する周壁の一部を、上縁を連結して垂下する内外方向の弾性揺動が可能な係合片32として画成し、その内面と上記中皿４外面とを凹凸係合手段34を介して係合させ、上記収納凹部３を形成する底壁の一部を上下の揺動が可能に画成するとともに、上記容器本体２の底壁７に開口した窓孔９に押し上げ可能に臨ませ、且つ、その自由端36a を上記係合片32下端部にその外方への押圧が可能に連繋させた押上げレバー36を設け、上記押上げレバー36の押し込みにより係合片32を外方へ弾性変形して係合を解除した後に中皿４を押し上げる如く構成したことを特徴とするコンパクト容器として構成した。
【０００７】
また、本請求項２発明のコンパクト容器は、上記収納凹部３が上記容器本体２の凹部５内に嵌合した中枠６により形成され、上記係合片32が、上記中枠６の周壁15の一部に形成され、上記押上げレバー36が、上記中枠６の底壁18に形成されてなる請求項１記載のコンパクト容器として構成した。
【０００８】
また、本請求項３発明のコンパクト容器は、上記収納凹部３が上記容器本体２の凹部５内に嵌合した中枠６により形成され、上記係合片32が、上記中枠６の周壁15の一部に形成され、上記押上げレバー36が、上記容器本体２の底壁７に超音波溶着により固定した基部40に上記弾性ヒンジｄを介して形成された別体の押上げレバー36である請求項１記載のコンパクト容器として構成した。
【０００９】
また、本請求項４発明のコンパクト容器は、上記押上げレバー36の外方への突出を防止する突出防止手段を設けてなる請求項１乃至請求項３のいずれかに記載のコンパクト容器として構成した。
【００１０】
また、本請求項５発明のコンパクト容器は、上記押上げレバー36の自由端36a を容器本体２の底壁７上に当接載置させることにより構成してなる請求項４記載のコンパクト容器として構成した。
【発明の効果】
【００１１】
本発明のコンパクト容器は、中皿４外面と弾性変形が可能な係合片32内面とを凹凸係合手段34を介して係合させているため、中皿４を係合強度の強い係合で確実に外れる虞のない固定が可能であり、また、押上げレバー36を押し込むことで、係合片32を外方へ押圧して中皿４と係合片32との係合が解除するため、上記係合が係合強度の強いものであっても確実に解除でき、その後に中皿４底面を押し上げるため、無理なく容易に中皿４の取り外しが可能である。
【００１２】
また、押上げレバー36の外方への突出を防止する突出防止手段を設けたものにあっては、押上げレバー36が外方へ飛び出して変形したり、或いは取り扱い時に邪魔になる等の不都合を防止できるものである。
【発明を実施するための最良の形態】
【００１３】
図面は本発明コンパクト容器の一例を示すもので、コンパクト容器１は、皿状の容器本体２の収納凹部３内に中皿４を嵌合させたもので、図示例では容器本体２の凹部５に嵌合させた中枠６により上記収納凹部３を形成しており、この中枠６により形成された収納凹部３に中皿４を収納する如く構成している。尚、容器本体２自体の凹部を収納凹部３とすることも可能である。
【００１４】
容器本体２は底壁７周縁部より周壁８を立設した皿状をなし、底壁７の後部所定位置には後に詳述する窓孔９を穿設し、また、後面両側に一対の軸受部10を突設している。
【００１５】
上記中枠６は、容器本体２の凹部５内に嵌合させた皿状をなすもので、図示例では周壁15の左右中央に仕切壁16を立設して、その左側を上記中皿嵌合用の収納凹部３とし、右側をパフ等の化粧具を収納する化粧具収納用の化粧具収納部17として構成している。また、中皿嵌合用の収納凹部３は底壁18を有し、化粧具収納部17の底壁部分はなく周壁15と上記仕切壁16及び容器本体底壁７とで化粧具収納凹部17を構成している。更に周壁15の上端縁より外方へ容器本体周壁８上に載置するフランジ19を延設している。
【００１６】
中皿４は底壁20周縁より周壁21を立設し、内部に化粧品を充填する。また、その周壁20後部外面には、後述する係合片と係合させるための係合凹部22を凹設するとともに、周壁20両側から前部に亘る部分に係合溝23を凹設して、上記中枠６が形成する収納凹部３の周壁である中枠周壁15対応位置に突設した係合突条24と係合させている。この係合溝23と係合突条24との係合は後述する係合片の係合突起と中皿の係合凹部とに代表される凹凸係合手段を補助するものであり、従って、その係合強度が小さくそれだけでは比較的容易に外れる如く構成している。
【００１７】
また、容器本体２の後部に後部を回動可能に連結して、容器本体上面を開閉可能に蓋体25を設けている。蓋体25は、周壁26上端縁より頂壁27を延設した伏皿状をなし、後部より垂設した軸受部28を、上記容器本体２の軸受部10間に挿入して軸着させている。また、その前部より垂設したフック（図示せず）を容器本体周壁８前面の係止突起29に係合させて閉蓋状態を維持する如く構成している。尚、30は上記フックと係止突起29との係合を解除する公知の押釦を示し、31は蓋体裏面に固定した鏡を示す。
【００１８】
本発明では、上記収納凹部３を形成する周壁の一部を係合片32として画成している。該係合片32は上縁を連結して垂下する内外方向の弾性揺動が可能に構成している。図示例では、中枠周壁15の後部に矩形状の窓孔を形成しその窓孔内に上端を一体に連結して垂設した状態で係合片32を画成している。係合片の上端は一対の連結片33で連結している。尚、この係合片32の形状は本実施例のものに限らず上記要件を満たしていれば種々の形状を採用でき、基本的には板状であれば良く、切欠，貫通孔等を備えたものであって良い。また、係合片は中枠と別体に形成して融着，接着等の適宜方法により固着して形成することもできる。
【００１９】
また、係合片32は、その内面と上記中皿４外面とを凹凸係合手段34を介して係合させ、嵌合した中皿４が簡単に外れないように構成している。上記凹凸係合手段34として、係合片32の内側面の所定位置に突設した係合突起35と、中皿周壁21の後部所定位置に凹設した上記係合凹部22とで構成している。係合突起35は上面が中皿４の嵌着がより容易に行える如く傾斜面をなしている。尚、この凹凸係合手段34は必ずしもこの例に限られず、中皿側に係合突起を、係合片32側に係合凹部を設けても良く、その場合には係合突起の下面を傾斜面とすると良く、或いは互いに係合突起を突設して一方の係合突起を他方の係合突起が強制的に乗り越える如く構成することも可能である。その場合には中皿側の係合突起下面及び係合片側の係合突起上面をそれぞれ傾斜面とすると良い。
【００２０】
また、本発明では、上記収納凹部３を形成する底壁の一部を押上げレバー36として画成している。従って、図示例では中枠６の底壁18の一部を押上げレバー36として画成しているが、中枠６がない場合、或いは底壁のない中枠６を使用する場合には容器本体２の底壁に押上げレバー36を直接画成しても良い。該押上げレバー36は、一端を連結して上下揺動可能に構成するとともに、上記容器本体２の底壁７に開口した窓孔９に押し上げ可能に臨ませている。更に、その自由端36a を上記係合片32下端部に連繋させてその外方への押圧が可能に構成している。係合片32の外方への押圧が可能に連繋させるためには、例えば図示例の如く、係合片32下端部を押上げレバー36側に向く傾斜面ａとし、また、自由端面を係合片32側へ向く弯曲面ｂとして、相互を当接或いは近接させることにより、押上げレバー36の押上げにより両者が摺動して係合片32を外方へ弾性変形させ、その結果上記係合突起35と係合凹部22との係合が解除する如く構成すると良い。但し、これに限られるものではなく、係合片32の下端或いは押上げレバーの自由端のいずれか一方を傾斜面或いは弯曲面としても良い。
【００２１】
図示例に於いて押上げレバー36は収納凹部３後部に突出した矩形状の窓孔前縁に一端を一体に連結して後方へ延設した状態で画成しており、弾性ヒンジｄ部分より後方へ下る傾斜状に形成しており、また、その中央部を容器本体底壁７より突出しない程度に陥没させた押圧部36b を設けて窓孔９内に於いて上方への押し上げを可能に構成している。また、上記自由端36a を窓孔９の後方の容器本体底壁７上に当接載置して押上げレバー36が外方へ突出するのを防止する突出防止手段を講じている。上記押圧部36b の構成により弾性ヒンジｄ等を外部から隠し、より見栄えの良い体裁を現出している。尚、上記突出防止手段としては、上記要件を備えていれば本実施例のものに限らないが、自由端36a を容器本体底壁７上に当接載置するのが押上げレバー36の押上げ操作に適していて好ましい。また，自由端36a の載置の具体的形態として、本実施例のようにその部分を直接載置する場合の他、後述実施例の如く先端に自由端の一部としての突部を突設したり、段部を形成して載置する如く構成しても良い。
【００２２】
上記の如く構成したコンパクト容器１は、図５（イ）に示す如く、中皿４が収納凹部３内に嵌着されて押上げレバー36が最下方位置に存在する状態から、押上げレバー36を押し上げると、図５（ロ）に示す如く、その自由端36a の弯曲面ｂが係合片32の傾斜面ａを摺動して係合片32を後方へ弾性変形させ、その結果、係合突起35が係合凹部22から外れる。次いで、更に押上げレバー36を押し上げると、図５（ハ）に示す如く、押上げレバーが中皿４の底面を押し上げ、中皿４の後部が押し上げられて収納凹部３より容易に取り外すことができる。
【００２３】
取り外した中皿４或いは新たな中皿４を嵌着させる時には上方より押し込むことで、簡単に嵌着させることができる。その際、係合片32が外方へ弾性変形して容易に押し込むことができる。
【００２４】
図６及び図７は押上げレバー36を容器本体２と別体に形成した例を示す。本実施例では、中枠６は図１の実施例の中枠の底壁のないものを採用し、中枠６の周壁15後部に左右一対の切欠溝38を設けて係合片32を画成しており、係合片32はその下面中央横長矩形状の切欠を設けて二股状に垂設し、切欠の直上に係合突起35を突設している。係合片32の下面には内方を向く傾斜面ａに形成している。
【００２５】
また、押上げレバー36は、窓孔９の前部の容器本体底壁７に形成した凹部39に基部40を超音波溶着により固定一体化するとともに、基部40より弾性ヒンジｄを介して上下揺動可能に延設して窓孔９内に押し上げ可能に臨ませており、その先端面に突設した自由端36a の一部としての一対の突部41を窓孔９後方の容器本体底壁７上面に当接載置させて上記突出防止手段を構成している。上記凹部30の窓孔９側縁は傾斜面に形成してその上方に弾性ヒンジｄを位置させて隠し、図１の実施例と同様良好を外観な呈する如く構成している。また、上記各突部41は上記切欠溝38の下方に位置し、押上げレバー36を上方へ押し上げた際にそれぞれ切欠溝38部分を通過する如く構成している。また、上面後端部に左右一対の断面山型の突条42を突設し、その後方を向く傾斜面ａを係合片32の各傾斜面ａと近接させている。その他の構成は基本的に図１の実施例と同様であるため説明を省略する。尚、本実施例では別体に形成した押上げレバーを容器本体底壁７に固定一体化した例について説明したが、別体に形成した押上げレバーを底壁を有する中枠に同様に固定一体化することも可能である。その場合には、容器本体底壁の窓孔の他に中枠底壁に押上げレバーが上下揺動するための窓孔を設ける。
【図面の簡単な説明】
【００２６】
【図１】本発明コンパクト容器の係合片部分の縦断面図である。（実施例１）
【図２】同実施例の蓋体以外の平面図である。（実施例１）
【図３】同実施例の中央横断部分の縦断面図である。（実施例１）
【図４】同実施例の係合片部分の要部拡大断面図である。（実施例１）
【図５】同実施例の作用を説明する説明図である。（実施例１）
【図６】本発明コンパクト容器の係合片部分の要部拡大断面図である。（実施例２）
【図７】同実施例の要部斜視図である。（実施例２）
【符号の説明】
【００２７】
２…容器本体，３…収納凹部，４…中皿，５…凹部，６…中枠，７…容器本体底壁，
９…窓孔，15…中枠周壁，18…中枠底壁，32…係合片，36…押上げレバー，
36a …自由端
【図１】
2005131182.tif 000003
【図２】
2005131182.tif 000004
【図３】
2005131182.tif 000005
【図４】
2005131182.tif 000006
【図５】
2005131182.tif 000007
【図６】
2005131182.tif 000008
【図７】
2005131182.tif 000009